(57)【特許請求の範囲】
【請求項１】
インターネットに接続可能なユーザ端末装置と、
インターネットに接続されており、第１の社会的存在と第２の社会的存在を関連付けた第１の関連データベースにアクセス可能なニュース分析コンピュータと、
を備えたニュース配信システムであって、
前記ユーザ端末装置は、前記ニュース分析コンピュータに対して、第１の社会的存在を示す言葉を送信し、
前記ニュース分析コンピュータは、当該第１の社会的存在と社会的関連性を有する第２の社会的存在を示す言葉を、当該第１の社会的存在を示す言葉をキーとして、前記第１の関連データベースから１または複数抽出し、
前記ニュース分析コンピュータは、当該第２の社会的存在を示す言葉が記述されたニュースを、前記ユーザ端末装置に提供すること、
を特徴とするニュース配信システムにおいて、
前記第１の社会的存在を示す言葉は、ユーザが指定する人物の名前であり、
前記第２の社会的存在を示す言葉は、当該人物と縁戚または交友関係を有する人物の名前であることを特徴とするニュース配信システム。
【請求項２】
ユーザ端末装置とインターネットを介して接続されており、第１の社会的存在と第２の社会的存在を関連付けた第１の関連データベースにアクセス可能なニュース分析コンピュータであって、
前記ユーザ端末装置から、第１の社会的存在を示す言葉を取得し、
当該第１の社会的存在と社会的関連性を有する第２の社会的存在を示す言葉を、当該第１の社会的存在を示す言葉をキーとして、前記第１の関連データベースから１または複数抽出し、
当該第２の社会的存在を示す言葉が記述されたニュースを、前記ユーザ端末装置に提供すること、
を特徴とするニュース分析コンピュータにおいて、
前記第１の社会的存在を示す言葉は、ユーザが指定する人物の名前であり、
前記第２の社会的存在を示す言葉は、当該人物と縁戚または交友関係を有する人物の名前であることを特徴とするニュース分析コンピュータ。
【請求項３】
請求項１または２のニュース配信システムまたはニュース分析コンピュータにおいて、
前記ニュース分析コンピュータは、さらに、前記第１の社会的存在を示す言葉が記述されたニュースも、前記ユーザ端末装置に提供することを特徴とするもの。
【請求項４】
インターネットに接続可能なユーザ端末装置と、
インターネットに接続されており、第１の社会的存在と第２の社会的存在を関連付けた第１の関連データベースおよび第２の社会的存在と第３の社会的存在を関連付けた第２の関連データベースにアクセス可能なニュース分析コンピュータと、
を備えたニュース配信システムであって、
前記ユーザ端末装置は、前記ニュース分析コンピュータに対して、第１の社会的存在を示す言葉を送信し、
前記ニュース分析コンピュータは、当該第１の社会的存在と社会的関連性を有する第２の社会的存在を示す言葉を、当該第１の社会的存在を示す言葉をキーとして、前記第１の関連データベースから１または複数抽出し、
前記ニュース分析コンピュータは、前記第２の社会的存在と社会的関連性を有する第３の社会的存在を示す言葉を、当該第２の社会的存在を示す言葉をキーとして、前記第２の関連データベースから１または複数抽出し、
前記ニュース分析コンピュータは、当該第３の社会的存在を示す言葉が記述されたニュースを、前記ユーザ端末装置に提供するニュース配信システムにおいて、
前記第１の社会的存在を示す言葉は、ユーザが指定する団体の名前であり、
前記第２の社会的存在を示す言葉は、当該団体に属する人物の名前であり、
前記第３の社会的存在を示す言葉は、当該人物と縁戚または交友関係を有する人物の名前であることを特徴とするニュース配信システム。
【請求項５】
ユーザ端末装置とインターネットを介して接続されており、第１の社会的存在と第２の社会的存在を関連付けた第１の関連データベースおよび第２の社会的存在と第３の社会的存在を関連付けた第２の関連データベースにアクセス可能なニュース分析コンピュータであって、
前記ユーザ端末装置から、第１の社会的存在を示す言葉を取得し、
当該第１の社会的存在と社会的関連性を有する第２の社会的存在を示す言葉を、当該第１の社会的存在を示す言葉をキーとして、前記第１の関連データベースから１または複数抽出し、
前記第２の社会的存在と社会的関連性を有する第３の社会的存在を示す言葉を、当該第２の社会的存在を示す言葉をキーとして、前記第２の関連データベースから１または複数抽出し、
当該第３の社会的存在を示す言葉が記述されたニュースを、前記ユーザ端末装置に提供すること、
を特徴とするニュース分析コンピュータにおいて、
前記第１の社会的存在を示す言葉は、ユーザが指定する団体の名前であり、
前記第２の社会的存在を示す言葉は、当該団体に属する人物の名前であり、
前記第３の社会的存在を示す言葉は、当該人物と縁戚または交友関係を有する人物の名前であることを特徴とするニュース分析コンピュータ。
【請求項６】
請求項４または５のニュース配信システムまたはニュース分析コンピュータにおいて、
前記ニュース分析コンピュータは、さらに、少なくとも、前記第１の社会的存在を示す言葉が記述されたニュースまたは前記第２の社会的存在を示す言葉が記述されたニュースも、前記ユーザ端末装置に提供することを特徴とするもの。
【請求項７】
インターネットに接続可能なユーザ端末装置と、
インターネットに接続されており、第１の社会的存在と第２の社会的存在を関連付けた第１の関連データベース、第２の社会的存在と第３の社会的存在を関連付けた第２の関連データベースおよび第３の社会的存在と第４の社会的存在を関連付けた第３の関連データベースにアクセス可能なニュース分析コンピュータと、
を備えたニュース配信システムであって、
前記ユーザ端末装置は、前記ニュース分析コンピュータに対して、第１の社会的存在を示す言葉を送信し、
前記ニュース分析コンピュータは、当該第１の社会的存在と社会的関連性を有する第２の社会的存在を示す言葉を、当該第１の社会的存在を示す言葉をキーとして、前記第１の関連データベースから１または複数抽出し、
前記ニュース分析コンピュータは、前記第２の社会的存在と社会的関連性を有する第３の社会的存在を示す言葉を、当該第２の社会的存在を示す言葉をキーとして、前記第２の関連データベースから１または複数抽出し、
前記ニュース分析コンピュータは、前記第３の社会的存在と社会的関連性を有する第４の社会的存在を示す言葉を、当該第３の社会的存在を示す言葉をキーとして、前記第３の関連データベースから１または複数抽出し、
前記ニュース分析コンピュータは、当該第４の社会的存在を示す言葉が記述されたニュースを、前記ユーザ端末装置に提供するニュース配信システムにおいて、
前記第１の社会的存在を示す言葉は、ユーザが指定する業界または地域の名称であり、
前記第２の社会的存在を示す言葉は、当該業界または地域に属する団体の名前であり、
前記第３の社会的存在を示す言葉は、当該団体に属する人物の名前であり、
前記第４の社会的存在を示す言葉は、当該人物と縁戚または交友関係を有する人物の名前であることを特徴とするニュース配信システム。
【請求項８】
ユーザ端末装置とインターネットを介して接続されており、第１の社会的存在と第２の社会的存在を関連付けた第１の関連データベース、第２の社会的存在と第３の社会的存在を関連付けた第２の関連データベースおよび第３の社会的存在と第４の社会的存在を関連付けた第３の関連データベースにアクセス可能なニュース分析コンピュータであって、
前記ユーザ端末装置から、第１の社会的存在を示す言葉を取得し、
当該第１の社会的存在と社会的関連性を有する第２の社会的存在を示す言葉を、当該第１の社会的存在を示す言葉をキーとして、前記第１の関連データベースから１または複数抽出し、
前記第２の社会的存在と社会的関連性を有する第３の社会的存在を示す言葉を、当該第２の社会的存在を示す言葉をキーとして、前記第２の関連データベースから１または複数抽出し、
前記第３の社会的存在と社会的関連性を有する第４の社会的存在を示す言葉を、当該第３の社会的存在を示す言葉をキーとして、前記第３の関連データベースから１または複数抽出し、
当該第４の社会的存在を示す言葉が記述されたニュースを、前記ユーザ端末装置に提供すること、
を特徴とするニュース分析コンピュータにおいて、
前記第１の社会的存在を示す言葉は、ユーザが指定する業界または地域の名称であり、
前記第２の社会的存在を示す言葉は、当該業界または地域に属する団体の名前であり、
前記第３の社会的存在を示す言葉は、当該団体に属する人物の名前であり、
前記第４の社会的存在を示す言葉は、当該人物と縁戚または交友関係を有する人物の名前であることを特徴とするニュース配信システム。
【請求項９】
請求項７または８のニュース配信システムまたはニュース分析コンピュータにおいて、
前記ニュース分析コンピュータは、さらに、少なくとも、前記第１の社会的存在を示す言葉が記述されたニュース、前記第２の社会的存在を示す言葉が記述されたニュースまたは前記第３の社会的存在を示す言葉が記述されたニュースも、前記ユーザ端末装置に提供することを特徴とするもの。
【請求項１０】
ニュースを提供するニュース分析コンピュータとインターネットを介して接続されており、第１の社会的存在と第２の社会的存在を関連付けた第１の関連データベースにアクセス可能なユーザ端末装置であって、
ユーザから第１の社会的存在を示す言葉を取得し、
当該第１の社会的存在と社会的関連性を有する第２の社会的存在を示す言葉を、当該第１の社会的存在を示す言葉をキーとして、前記第１の関連データベースから１または複数抽出し、
前記ニュース分析コンピュータにアクセスして、当該第２の社会的存在を示す言葉が記述されたニュースを、前記ニュース分析コンピュータから取得すること、
を特徴とするユーザ端末装置において、
前記第１の社会的存在を示す言葉は、ユーザが指定する人物の名前であり、
前記第２の社会的存在を示す言葉は、当該人物と縁戚または交友関係を有する人物の名前であることを特徴とするユーザ端末装置。
【請求項１１】
請求項１ないし請求項１０のニュース配信システム、ニュース分析コンピュータまたはユーザ端末装置において、
前記ニュース分析コンピュータまたはユーザ端末装置は、ユーザ指定範囲に基づいて、前記第２の社会的存在を示す言葉、第３の社会的存在を示す言葉または第４の社会的存在を示す言葉を抽出することを特徴とするもの。
【請求項１２】
インターネットに接続可能なユーザ端末装置と、
インターネットに接続されており、第１の社会的存在と第２の社会的存在を関連付けた第１の関連データベースにアクセス可能なニュース分析コンピュータと、
を用いて実現するニュース配信方法であって、
前記ユーザ端末装置において、前記ニュース分析コンピュータに対して、第１の社会的存在を示す言葉を送信させ、
前記ニュース分析コンピュータにおいて、当該第１の社会的存在と社会的関連性を有する第２の社会的存在を示す言葉を、当該第１の社会的存在を示す言葉をキーとして、前記第１の関連データベースから１または複数抽出させ、
前記ニュース分析コンピュータにおいて、当該第２の社会的存在を示す言葉が記述されたニュースを、前記ユーザ端末装置に提供させること、
を特徴とするニュース配信方法において、
前記第１の社会的存在を示す言葉は、ユーザが指定する人物の名前であり、
前記第２の社会的存在を示す言葉は、当該人物と縁戚または交友関係を有する人物の名前であることを特徴とするニュース配信方法。
【請求項１３】
コンピュータを、ニュース分析コンピュータとして機能させるプログラムを記録した記録媒体であって、
前記コンピュータに、第１の社会的存在と第２の社会的存在を関連付けた第１の関連データベースにアクセスさせ、
前記コンピュータに、第１の社会的存在と社会的関連性を有する第２の社会的存在を示す言葉を、当該第１の社会的存在を示す言葉をキーとして、前記第１の関連データベースから１または複数抽出させ、
前記コンピュータに、当該第２の社会的存在を示す言葉が記述されたニュースを、前記ユーザ端末装置に提供させるプログラムを記録した記録媒体において、
前記第１の社会的存在を示す言葉は、ユーザが指定する人物の名前であり、
前記第２の社会的存在を示す言葉は、当該人物と縁戚または交友関係を有する人物の名前であることを特徴とするプログラムを記録した記録媒体。
【請求項１４】
コンピュータを、ユーザ端末装置として機能させるプログラムを記録した記録媒体であって、
前記コンピュータに、第１の社会的存在と第２の社会的存在を関連付けた第１の関連データベースにアクセスさせ、
前記コンピュータに、第１の社会的存在と社会的関連性を有する第２の社会的存在を示す言葉を、当該第１の社会的存在を示す言葉をキーとして、前記第１の関連データベースから１または複数抽出させ、
前記コンピュータに、ニュースを提供するニュース分析コンピュータにアクセスさせ、当該第２の社会的存在を示す言葉が記述されたニュースを、前記ニュース分析コンピュータから取得させるプログラムを記録した記録媒体において、
前記第１の社会的存在を示す言葉は、ユーザが指定する人物の名前であり、
前記第２の社会的存在を示す言葉は、当該人物と縁戚または交友関係を有する人物の名前であることを特徴とするプログラムを記録した記録媒体。
【請求項１５】
インターネットに接続可能なユーザ端末装置と、
インターネットに接続されており、第１の社会的存在と第２の社会的存在を関連付けた第１の関連データベースにアクセス可能なニュース分析コンピュータと、
を備えたニュース配信システムであって、
前記ユーザ端末装置は、前記ニュース分析コンピュータに対して、第１の社会的存在を示す言葉を送信し、
前記ニュース分析コンピュータは、当該第１の社会的存在と社会的関連性を有する第２の社会的存在を示す言葉を、当該第１の社会的存在を示す言葉をキーとして、前記第１の関連データベースから１または複数抽出し、
前記ニュース分析コンピュータは、当該第２の社会的存在を示す言葉が記述されたニュースを、前記ユーザ端末装置に提供すること、
を特徴とするニュース配信システムにおいて、
前記第１の社会的存在を示す言葉は、ユーザが指定する企業名や団体名であり、
前記第２の社会的存在を示す言葉は、当該企業や団体に属する人物名、または当該企業と相互関係を有する企業名や団体名、または当該企業や団体が属する業界名であることを特徴とするニュース配信システム。
【請求項１６】
ユーザ端末装置とインターネットを介して接続されており、第１の社会的存在と第２の社会的存在を関連付けた第１の関連データベースにアクセス可能なニュース分析コンピュータであって、
前記ユーザ端末装置から、第１の社会的存在を示す言葉を取得し、
当該第１の社会的存在と社会的関連性を有する第２の社会的存在を示す言葉を、当該第１の社会的存在を示す言葉をキーとして、前記第１の関連データベースから１または複数抽出し、
当該第２の社会的存在を示す言葉が記述されたニュースを、前記ユーザ端末装置に提供すること、
を特徴とするニュース分析コンピュータにおいて、
前記第１の社会的存在を示す言葉は、ユーザが指定する企業名や団体名であり、
前記第２の社会的存在を示す言葉は、当該企業や団体に属する人物名、または当該企業と相互関係を有する企業名や団体名、または当該企業や団体が属する業界名であることを特徴とするニュース分析コンピュータ。
【請求項１７】
インターネットに接続可能なユーザ端末装置と、
インターネットに接続されており、第１の社会的存在と第２の社会的存在を関連付けた第１の関連データベースにアクセス可能なニュース分析コンピュータと、
を備えたニュース配信システムであって、
前記ユーザ端末装置は、前記ニュース分析コンピュータに対して、第１の社会的存在を示す言葉を送信し、
前記ニュース分析コンピュータは、当該第１の社会的存在と社会的関連性を有する第２の社会的存在を示す言葉を、当該第１の社会的存在を示す言葉をキーとして、前記第１の関連データベースから１または複数抽出し、
前記ニュース分析コンピュータは、当該第２の社会的存在を示す言葉が記述されたニュースを、前記ユーザ端末装置に提供すること、
を特徴とするニュース配信システムにおいて、
前記第１の社会的存在を示す言葉は、ユーザが指定する地域名や業界名であり、
前記第２の社会的存在を示す言葉は、当該地域や業界に属する企業や団体であることを特徴とするニュース配信システム。
【請求項１８】
ユーザ端末装置とインターネットを介して接続されており、第１の社会的存在と第２の社会的存在を関連付けた第１の関連データベースにアクセス可能なニュース分析コンピュータであって、
前記ユーザ端末装置から、第１の社会的存在を示す言葉を取得し、
当該第１の社会的存在と社会的関連性を有する第２の社会的存在を示す言葉を、当該第１の社会的存在を示す言葉をキーとして、前記第１の関連データベースから１または複数抽出し、
当該第２の社会的存在を示す言葉が記述されたニュースを、前記ユーザ端末装置に提供すること、
を特徴とするニュース分析コンピュータにおいて、
前記第１の社会的存在を示す言葉は、ユーザが指定する地域名や業界名であり、
前記第２の社会的存在を示す言葉は、当該地域や業界に属する企業や団体であることを特徴とするニュース分析コンピュータ。
【請求項１９】
インターネットに接続可能なユーザ端末装置と、
インターネットに接続されており、第１の社会的存在と第２の社会的存在を関連付けた第１の関連データベースおよび第２の関連データベースにアクセス可能なニュース分析コンピュータと、
を備えたニュース配信システムであって、
前記ユーザ端末装置は、前記ニュース分析コンピュータに対して、第１の社会的存在を示す言葉を送信し、
前記ニュース分析コンピュータは、当該第１の社会的存在と社会的関連性を有する第２の社会的存在を示す言葉を、当該第１の社会的存在を示す言葉をキーとして、前記第１の関連データベースから１または複数抽出し、
前記ニュース分析コンピュータは、前記第２の社会的存在と社会的関連性を有する第３の社会的存在を示す言葉を、当該第２の社会的存在を示す言葉をキーとして、前記第２の関連データベースから１または複数抽出し、
前記ニュース分析コンピュータは、当該第３の社会的存在を示す言葉が記述されたニュースを、前記ユーザ端末装置に提供するニュース配信システムにおいて、
前記第１の社会的存在を示す言葉は、ユーザが指定する地域名や業界名であり、
前記第２の社会的存在を示す言葉は、当該地域や業界に属する企業や団体であり、
前記第３の社会的存在を示す言葉は、当該企業や団体に属する人物の名前であることを特徴とするニュース配信システム。
【請求項２０】
ユーザ端末装置とインターネットを介して接続されており、第１の社会的存在と第２の社会的存在を関連付けた第１の関連データベースおよび第２の社会的存在と第３の社会的存在を関連付けた第２の関連データベースにアクセス可能なニュース分析コンピュータであって、
前記ユーザ端末装置から、第１の社会的存在を示す言葉を取得し、
当該第１の社会的存在と社会的関連性を有する第２の社会的存在を示す言葉を、当該第１の社会的存在を示す言葉をキーとして、前記第１の関連データベースから１または複数抽出し、
前記第２の社会的存在と社会的関連性を有する第３の社会的存在を示す言葉を、当該第２の社会的存在を示す言葉をキーとして、前記第２の関連データベースから１または複数抽出し、
当該第３の社会的存在を示す言葉が記述されたニュースを、前記ユーザ端末装置に提供すること、
を特徴とするニュース分析コンピュータにおいて、
前記第１の社会的存在を示す言葉は、ユーザが指定する地域名や業界名であり、
前記第２の社会的存在を示す言葉は、当該地域や業界に属する企業や団体であり、
前記第３の社会的存在を示す言葉は、当該企業や団体に属する人物の名前であることを特徴とするニュース分析コンピュータ。
【発明の詳細な説明】
【０００１】
【発明の属する技術分野】
インターネットを利用して、ニュースを配信するシステムに関するものである。
【０００２】
【従来の技術】
従来の電子メールを利用したニュース配信システムの一例を、図１２を用いて説明する。
【０００３】
ニュース配信サーバ１１１から、新規ニュースを取得しようとするユーザは、まず、ユーザ端末１２１からニュース配信サーバ１１１にアクセスして、会員登録フォーム（図示せず）を要求する。ユーザは、会員登録フォームに、氏名、メールアドレス等を記入すると、ユーザ端末１２１は、これをニュース配信サーバ１１１に送信する。ニュース配信サーバ１１１は、会員登録フォームに記入されたデータを、会員情報データベース（図示せず）に登録する。
【０００４】
ニュース配信サーバ１１１は、ニュース提供業者の端末１３１から新規ニュースを取得すると、会員情報データベースに登録されたメールアドレスを用いて、その新規ニュースをユーザ端末１２１にメール送信する。
【０００５】
ユーザは、ユーザ端末１２１のディスプレイにおいて、図１３に示すような新規ニュースが記載されたメールを閲覧する。
【０００６】
したがって、ユーザは、ニュース配信サーバ１１１からユーザ端末１２１に送られてくる電子メールを閲覧することにより、新規ニュースを取得することができる。
【０００７】
【発明が解決しようとする課題】
しかしながら、上記のようなシステムでは、以下のような問題が生じている。
【０００８】
第一に、ユーザは、ニュース配信サーバ１１１から送られてくる電子メールの中から、所望の情報を探さなければならず、面倒であり、時間がかかる。また、ユーザが特定の情報のみ欲しいときでも、ユーザ端末１２１は、ニュース配信サーバ１１１からすべてのメールを受け付けなければならなず、その処理が効率的でない。
【０００９】
第二に、ニュース配信サーバ１１１は、ユーザが関心を持たないようなニュースも、各ユーザ端末に送信しているため、その処理が効率的でない。
【００１０】
また、ニュース配信サーバ１１１を、ユーザによって指定されたキーワードが記述されているニュースのみ、提供するように設定した場合、以下のような問題が生じる。
【００１１】
第一に、キーワードが記述されていないニュースは、一律に、ユーザ端末に提供されないため、ユーザが関心を持つ可能性のあるニュースであっても、ユーザは取得できない。
【００１２】
第二に、各ユーザ端末に配信するニュースが限定され、広範囲に提供できないため、ニュースに記載されている広告等の機能を損なうことになる。
【００１３】
この発明は、このような問題を解決して、ユーザにかかる負担を軽減し、ユーザが関心を持つであろうニュースを幅広く、効率的に配信するシステムを実現することを目的とする。
【００１４】
【課題を解決するための手段および発明の効果】
(1)  この発明のニュース配信システムは、インターネットに接続可能なユーザ端末装置と、インターネットに接続されており、第１の関連データベースにアクセス可能なニュース分析コンピュータとを備えており、前記ユーザ端末装置は、前記ニュース分析コンピュータに対して、第１の社会的存在を示す言葉を送信し、前記ニュース分析コンピュータは、当該第１の社会的存在と社会的関連性を有する第２の社会的存在を示す言葉を、当該第１の社会的存在を示す言葉をキーとして、前記第１の関連データベースから１または複数抽出し、前記ニュース分析コンピュータは、当該第２の社会的存在を示す言葉が記述されたニュースを、前記ユーザ端末装置に提供することを特徴としている。
【００１５】
したがって、ユーザは、所定の社会的存在に関するニュースとして、第２の社会的存在を示す言葉が記述されたニュースを、容易かつ迅速に取得することができ、幅広く情報を知ることができる。
【００１６】
(2)  この発明のニュース分析コンピュータは、前記ユーザ端末装置から、第１の社会的存在を示す言葉を取得し、当該第１の社会的存在と社会的関連性を有する第２の社会的存在を示す言葉を、当該第１の社会的存在を示す言葉をキーとして、前記第１の関連データベースから１または複数抽出し、当該第２の社会的存在を示す言葉が記述されたニュースを、前記ユーザ端末装置に提供することを特徴としている。
【００１７】
したがって、ニュース分析コンピュータは、ユーザが関心を持ちそうなニュースとして、第２の社会的存在を示す言葉が記述されたニュースをも提供することができる。
【００１８】
(3)  この発明のニュース配信システム等は、前記ニュース分析コンピュータは、さらに、第２の関連データベースを備え、前記ニュース分析コンピュータは、前記第２の社会的存在と社会的関連性を有する第３の社会的存在を示す言葉を、当該第２の社会的存在を示す言葉をキーとして、前記第２の関連データベースから１または複数抽出し、前記ニュース分析コンピュータは、当該第３の社会的存在を示す言葉が記述されたニュースを、前記ユーザ端末装置に提供することを特徴としている。
【００１９】
したがって、ニュース分析コンピュータは、ユーザが関心を持ちそうなニュースとして、第３の社会的存在を示す言葉が記述されたニュースをも提供することにより、幅広く情報を提供することができる。一方、ユーザは、幅広くニュースを取得することによって、所望のニュースを見逃すことがないようにすることができる。
【００２０】
(4)  この発明のニュース配信システム等は、前記ニュース分析コンピュータは、さらに、第３の関連データベースを備え、前記ニュース分析コンピュータは、前記第３の社会的存在と社会的関連性を有する第４の社会的存在を示す言葉を、当該第３の社会的存在を示す言葉をキーとして、前記第３の関連データベースから１または複数抽出し、前記ニュース分析コンピュータは、当該第４の社会的存在を示す言葉が記述されたニュースを、前記ユーザ端末装置に提供することを特徴としている。
【００２１】
したがって、ニュース分析コンピュータは、ユーザが関心を持ちそうなニュースとして、第４の社会的存在を示す言葉が記述されたニュースをも提供することにより、幅広く情報を提供することができる。一方、ユーザは、幅広くニュースを取得することによって、所望のニュースを見逃すことがないようにすることができる。
【００２２】
(5)  この発明のユーザ端末装置は、ユーザから第１の社会的存在を示す言葉を取得し、当該第１の社会的存在と社会的関連性を有する第２の社会的存在を示す言葉を、当該第１の社会的存在を示す言葉をキーとして、前記第１の関連データベースから１または複数抽出し、前記ニュース分析コンピュータにアクセスして、当該第２の社会的存在を示す言葉が記述されたニュースを、前記ニュース分析コンピュータから取得することを特徴としている。
【００２３】
したがって、ユーザは、このユーザ端末装置を用いて、容易かつ幅広く、所望のニュースを取得することができる。
【００２４】
(6)  この発明のニュース配信システム等は、前記ニュース分析コンピュータまたはユーザ端末装置は、ユーザ指定範囲に基づいて、前記第２の社会的存在を示す言葉、第３の社会的存在を示す言葉または第４の社会的存在を示す言葉を抽出することを特徴としている。
【００２５】
したがって、ユーザは、ユーザ指定範囲を設定すれば、抽出される第２の社会的存在を示す言葉等を限定することができ、無用なニュースが提供されることを回避することができる。例えば、ユーザ指定範囲として、年齢帯を設定した場合には、その年齢帯の社会的存在に限定して抽出するようなものである。
【００２６】
(7)  この発明のニュース配信システム等は、前記第１の社会的存在を示す言葉は、ユーザが指定する人物の名前であり、前記第２の社会的存在を示す言葉は、当該人物と縁戚または交友関係を有する人物の名前であることを特徴としている。
【００２７】
したがって、ユーザは、所望の人名を指定すれば、当該人名が記述されたニュースだけでなく、当該人物と縁戚関係等にある人名が記述されたニュースをも、容易かつ迅速に取得することができる。また、ニュース分析コンピュータは、縁戚関係等にある人名が記述されたニュースをも提供することによって、ユーザが関心を持つであろうニュースを、幅広く提供することができる。
【００２８】
(8)  この発明のニュース配信システム等は、前記第１の社会的存在を示す言葉は、ユーザが指定する団体の名前であり、前記第２の社会的存在を示す言葉は、当該団体に属する人物の名前であり、前記第３の社会的存在を示す言葉は、当該人物と縁戚または交友関係を有する人物の名前であることを特徴としている。
【００２９】
したがって、ユーザは、所望の団体名を指定すれば、当該団体名が記述されたニュースや、当該団体に属する人名が記述されたニュースだけでなく、当該団体に属する人物と縁戚関係等にある人名が記述されたニュースをも、容易かつ迅速に取得することができる。また、ニュース分析コンピュータは、縁戚関係等にある人名が記述されたニュースをも提供することによって、ユーザが関心を持つであろうニュースを、幅広く提供することができる。
【００３０】
(9)  この発明のニュース配信システム等は、前記第１の社会的存在を示す言葉は、ユーザが指定する業界または地域の名称であり、前記第２の社会的存在を示す言葉は、当該業界または地域に属する団体の名前であり、前記第３の社会的存在を示す言葉は、当該団体に属する人物の名前であり、前記第４の社会的存在を示す言葉は、当該人物と縁戚または交友関係を有する人物の名前であることを特徴としている。
【００３１】
したがって、ユーザは、所望の業界名、地域名を指定すれば、当該業界名等が記述されたニュースや、当該業界等に属する団体名が記述されたニュース、当該団体に属する人名が記述されたニュースだけでなく、当該人物と縁戚関係等にある人名が記述されたニュースをも、容易かつ迅速に取得することができる。
【００３２】
(10)  この発明のニュース配信方法は、前記ユーザ端末装置において、前記ニュース分析コンピュータに対して、キーワードを送信させ、前記ニュース分析コンピュータにおいて、当該キーワードに関連する情報を抽出させ、前記ニュース分析コンピュータにおいて、当該キーワードに関連する情報が記述されたニュースを、前記ユーザ端末装置に提供させることを特徴としている。
【００３３】
したがって、ユーザは、所定のキーワードを指定すれば、キーワードに関連する情報が記述されたニュースを、容易かつ迅速に取得することができ、幅広く情報を知ることができる。また、ニュース分析コンピュータは、ユーザが関心を持ちそうなニュースを、幅広く配信することができる。
【００３４】
なお、この発明において、ニュース分析コンピュータとは、ユーザ端末装置にニュースを提供するコンピュータであり、下記の実施形態においては、ニュース配信サーバ１１が該当する。
【００３５】
ユーザ端末装置とは、ニュースを取得しようとするユーザが操作する装置であり、下記の実施形態においては、ユーザ端末２１が該当する。
【００３６】
第１の関連データベースとは、第１の社会的存在を示す言葉と関連づけて、第２の社会的存在を示す言葉を記録しているデータベースであり、下記の実施形態においては、会社職員録データベースが該当する。
【００３７】
第２の関連データベースとは、第２の社会的存在を示す言葉と関連づけて、第３の社会的存在を示す言葉を記録しているデータベースであり、下記の実施形態においては、縁戚・交友関係データベースが該当する。
【００３８】
第３の関連データベースとは、第３の社会的存在を示す言葉と関連づけて、第４の社会的存在を示す言葉を記録しているデータベースである。例えば、下記の5の他の実施例(5-6)において、縁戚・交友関係データベースが該当する。
【００３９】
第１の社会的存在とは、第２の社会的存在を社会的関連性を有するものであり、下記の実施形態においては、「ＡＡ電機株式会社」が該当する。
【００４０】
第２の社会的存在とは、第１の社会的存在と社会的関連性を有するものであり、下記の実施形態においては、「職員ａａ、職員ａｂ、職員ａｃ・・・」が該当する。
【００４１】
第３の社会的存在とは、第２の社会的存在と社会的関連性を有するものであり、下記の実施形態においては、「人物ａ１、人物ａ２・・・」が該当する。
【００４２】
第４の社会的存在とは、第３の社会的存在と社会的関連性を有するものである。例えば、下記の5の他の実施例(5-6)において、ユーザが指定する業界に属する企業の職員と、縁戚・交友関係にある人名が該当する。
【００４３】
ユーザ指定範囲とは、第２の社会的存在を示す言葉等を抽出するための情報であり、下記の実施形態においては、ユーザが設定する年齢帯、地域範囲その他の情報が該当する。
【００４４】
社会的関連性とは、言葉と言葉の関連性とは異なり、実体（社会的存在）と実体の関連性をいうものである。例えば、「ある会社とその職員」「ある人物とその親友」のような、社会的なつながりをいうものである。
【００４５】
キーワードとは、第１の社会的存在を示す言葉を含む概念である。
【００４６】
キーワードに関連する情報とは、第２の社会的存在を示す言葉、第３の社会的存在を示す言葉、第４の社会的存在を示す言葉を含む概念である。
【００４７】
プログラムを記録した記録媒体とは、フレキシブルディスク、ＣＤ−ＲＯＭ、ハードディスク、メモリカード、ＲＯＭ、パンチカード、テープ等を含む概念である。また、コンピュータによって直接実行可能なプログラムを記録した記録媒体だけでなく、一旦他の記録媒体（ハードディスク等）にインストールすることによって実行可能となるようなプログラムを記録した記録媒体や、暗号化されたり、圧縮されたりしたプログラムを記録した記録媒体を含む概念である。
【００４８】
【発明の実施の形態】
1  全体の構成、処理の概要
図１に、この発明の一実施形態におけるニュース配信システムの全体構成を示す。
【００４９】
ニュース配信サーバ１１は、インターネットを介して、ユーザ端末２１と、ニュース提供業者のコンピュータ３１に接続されている。このニュース配信サーバ１１には、企業の職員名が登録されている会社職員録データベースと、人物間の縁戚・交友関係が登録されている縁戚・交友関係データベースを備えている。以下に、このシステムの処理（アウェアネス・サービス）の概要を示す。
【００５０】
このシステムを利用して、ある企業に関する情報を知ろうとするユーザは、ユーザ端末２１からニュース配信サーバ１１にアクセスして、ユーザ名、メールアドレス、企業名を指定して、会員登録を行う。ニュース配信サーバ１１は、この企業名をキーに、会社職員録データベースから、当該企業の職員名を抽出する。さらに、職員名をキーに、縁戚・交友関係データベースから、縁戚・交友関係にある人名を抽出する。
【００５１】
ニュース配信サーバ１１は、ニュース提供業者のコンピュータ３１から新規ニュースを受け取ると、ユーザが指定した企業名、抽出の結果得られた職員名、人名のうち少なくとも１つが、新規ニュースの文面に記述されているか否かを調べる。記述されていれば、ニュース配信サーバ１１は、ニュースが到着した旨の通知を、ユーザ端末２１にメール送信する。
【００５２】
これを受けて、ユーザは、ユーザ端末２１からニュース配信サーバ１１にアクセスして、当該新規ニュースを閲覧する。
【００５３】
このように、ニュース配信サーバ１１は、ユーザが関心を持ちそうなニュースをも、幅広く提供することができる。
【００５４】
2  ニュース配信サーバ１１のハードウエアの構成
図２に、図１に示すニュース配信サーバ１１のハードウエアの構成例を示す。ＣＰＵ１１ａには、バスラインを介して、メモリ１１ｂ、ディスプレイ１１ｃ、キーボード１１ｄ、ハードディスク１１ｅ、ＣＤ−ＲＯＭドライブ１１ｆが接続されている。
【００５５】
メモリ１１ｂには、ニュース提供業者のコンピュータ３１によって、新規ニュースが書き込まれるニュース到着エリアが設けられている。
【００５６】
ハードディスク１１ｅには、会員情報データベース、会社職員録データベース、職員データ抽出プログラム、縁戚・交友関係データベース、縁戚・交友データ抽出プログラム、ニュースチェックプログラム、キーワードチェックプログラム、メールプログラム（例えば、マイクロソフト社のOutlook  Express）、システムプログラム(OS)などが登録されている。これらのプログラム等は、ＣＤ−ＲＯＭドライブ１１ｆを介して、ＣＤ−ＲＯＭ１１ｇからインストールされたものである。
【００５７】
会員情報データベースには、ユーザＩＤ、メールアドレスに対応づけて、ユーザが指定する企業名、その職員名、その職員と縁戚、交友関係にある人名が記録される（図６ｂ参照）。
【００５８】
会社職員録データベースには、企業名に対応づけて、職員名などが記録されている（図８参照）。職員データ抽出プログラムは、会社職員録データベースから、ユーザが指定する企業の職員名を抽出するものである。
【００５９】
縁戚・交友関係データベースには、人名に対応づけて、縁戚、交友関係にある人名が登録されている（図９参照）。縁戚・交友データ抽出プログラムは、縁戚・交友関係データベースから、縁戚関係等にある人名を抽出するものである。
【００６０】
ニュースチェックプログラムは、メモリ１１ｂのニュース到着エリアに、新規ニュースが到着したか否かを、定期的に調べるものである。キーワードチェックプログラムは、新規ニュースの文面に、キーワードが記述されているか否かを調べるものである。
【００６１】
この実施形態では、職員データ抽出プログラム等は、システムプログラムと共同して、上記の機能を実行する。
【００６２】
3  ユーザ端末２１のハードウエアの構成
図３に、図１に示すユーザ端末２１のハードウエアの構成例を示す。ＣＰＵ２１ａには、バスラインを介して、メモリ２１ｂ、ディスプレイ２１ｃ、キーボード２１ｄ、ハードディスク２１ｅ、ＣＤ−ＲＯＭドライブ２１ｆが接続されている。
【００６３】
ハードディスク２１ｅには、ブラウザプログラム（例えば、マイクロソフト社のInternet  Explorer）、メールプログラム、システムプログラムなどが登録されている。これらのプログラム等は、ＣＤ−ＲＯＭドライブ２１ｆを介して、ＣＤ−ＲＯＭ２１ｇからインストールされたものである。
【００６４】
4  フローチャート
以下に、このシステムの処理を、会員登録処理（4.1）、職員データ、縁戚・交友データの抽出処理（4.2）、ニュースの配信処理（4.3）に分けて説明する。
【００６５】
4.1  会員登録処理
図４に、ユーザが会員登録を行う際の、ニュース配信サーバ１１、ユーザ端末２１の処理を示す。
【００６６】
まず、「ＡＡ電機株式会社」に関する情報を取得しようとするユーザは、ユーザ端末２１からニュース配信サーバ１１にアクセスして、図５に示す会員登録フォームを要求する（ＳＴ１１）。ニュース配信サーバ１１からこれを受け取ると（ＳＴ１２）、そこに氏名、メールアドレスとともに、「ＡＡ電機株式会社」を入力して、ニュース配信サーバ１１に送信する（ＳＴ１３）。ニュース配信サーバ１１は、会員登録フォームに記入されたデータを、図６ａに示す会員情報データベースに登録する（ＳＴ１４）とともに、ユーザＩＤ、パスワードを生成して（ＳＴ１５）、これをユーザ端末２１に送信する（ＳＴ１６）
4.2  職員データ、縁戚・交友データの抽出処理
図７に、職員データ、縁戚・交友データの抽出を行う際の、ニュース配信サーバ１１の処理を示す。
【００６７】
ニュース配信サーバ１１は、図６ａに示す会員情報データベースに登録された「ＡＡ電機株式会社」をキーに、図８に示す会社職員録データベースから、職員データ「職員ａａ、職員ａｂ、職員ａｃ・・・」を抽出し（ＳＴ２１）、これを会員情報データベースに登録する（ＳＴ２２）。
【００６８】
次に、ニュース配信サーバ１１は、会員情報データベースに登録された職員データ「職員ａａ」をキーに、図９に示す縁戚・交友関係データベースから、縁戚・交友データ「人物ａ１、人物ａ２・・・」を抽出し（ＳＴ２３）、これを図６ｂに示す会員情報データベースに登録する（ＳＴ２４）。その他の職員データ「職員ａｂ、職員ａｃ・・・」についても、同様に行う。
【００６９】
このように抽出された「職員ａａ、職員ａｂ、職員ａｃ・・・」、「人物ａ１、人物ａ２・・・」と、「ＡＡ電機株式会社」を、ユーザの関心事項とする。
【００７０】
4.3  ニュースの配信処理
図１０に、ニュースの配信を行う際の、ニュース配信サーバ１１、ユーザ端末２１の処理を示す。
【００７１】
ニュース配信サーバ１１は、上記4.2の処理を終了すると、ニュース到着エリアに新規ニュースが到着したか否かを、定期的に調べる（ＳＴ３１）。そして、ニュース提供業者のコンピュータ３１によって、ニュース到着エリアに新規ニュースが書き込まれると、ニュース配信サーバ１１は、新規ニュースが到着したと判断する（ＳＴ３２）。
【００７２】
次に、ニュース配信サーバ１１は、新規ニュースの文面に、ユーザの関心事項（「ＡＡ電機株式会社」「職員ａａ、職員ａｂ、職員ａｃ・・・」「人物ａ１、人物ａ２・・・」）が、記述されているか否か調べる（ＳＴ３３）。
【００７３】
「人物ａ１」を発見すると（ＳＴ３４）、ニュース配信サーバ１１は、図１１に示すニュース到着通知を作成し（ＳＴ３５）、これをユーザ端末２１にメール送信する（ＳＴ３６）。
【００７４】
ユーザは、ニュース到着通知を閲覧すると、ユーザ端末２１からニュース配信サーバ２１にアクセスし（ＳＴ３７）、ユーザＩＤ、パスワードを用いて、当該ニュースが掲載されいるウエブページに接続し、これを閲覧する（ＳＴ３８）。
【００７５】
このように、ユーザは、「ＡＡ電機株式会社」の「職員ａａ」と縁戚、交友関係にある「人物ａ１」の名前が記述されたニュースをも、容易かつ迅速に、取得することができる。
【００７６】
5  他の実施例
なお、この実施形態では、ユーザが指定する企業、その企業の職員、その職員と縁戚・交友関係にある人名が記述されたニュースを配信するシステムを、一例として説明している。しかしながら、これに限られるものではなく、例えば、以下のようなニュースを配信するようなシステムであってもよい。
【００７７】
(1-1)  ユーザが企業名を指定し、その企業名が記述されたニュースのみを配信するシステム。
【００７８】
(1-2)  ユーザが企業名を指定し、その企業名と、その企業の職員名が記述されたニュースのみを配信するシステム。
【００７９】
(1-3)  ユーザが企業名を指定し、その企業と相互関係（例えば、出資、融資、提携、事業譲渡など）を有する企業名が記述されたニュースを配信するシステム。この場合、ニュース配信サーバ１１は、企業間の相互関係が記録されているデータベースを備えている。
【００８０】
(1-4)  ユーザが企業名を指定し、その企業と相互関係を有する企業に属する職員名が記述されたニュースを配信するシステム。この場合、ニュース配信サーバ１１は、企業間の相互関係が記録されているデータベースを備えている。
【００８１】
(1-5)  ユーザが企業名を指定し、その企業と相互関係を有する企業に属する職員と、縁戚・交友関係にある人名が記述されたニュースを配信するシステム。この場合、ニュース配信サーバ１１は、企業間の相互関係が記録されているデータベースを備えている。
【００８２】
(1-6)  ユーザが企業名を指定し、その企業が属する業界名が記述されたニュースを配信するシステム。この場合、ニュース配信サーバ１１は、企業名と対応づけて業界名が記録されたデータベースを備えている。
【００８３】
(2-1)  ユーザが人名を指定し、その人名が記述されたニュースを配信するシステム。
【００８４】
(2-2)  ユーザが人名を指定し、その人物と縁戚・交友関係にある人名が記述されたニュースを配信するシステム。
【００８５】
(2-3)  ユーザが人名を指定し、その人物が属する団体名（例えば、企業名、学校名など）が記述されたニュースを配信するシステム。この場合、ニュース配信サーバ１１は、人名と対応づけて団体名が記録されているデータベースを備えている。
【００８６】
(3-1)  ユーザが団体名（例えば、官庁名、部署名、学校名、学科名など）を指定し、その団体に属する人物の名前が記述されたニュースを配信するシステム。例えば、学校に属する人物として、在校生、卒業生、教員、元教員などがある。この場合、ニュース配信サーバ１１は、各団体に属する人名が記録されているデータベースを備えている。
【００８７】
(3-2)  ユーザが団体名を指定し、その団体に属する人物と縁戚・交友関係にある人名が記述されたニュースを配信するシステム。この場合、ニュース配信サーバ１１は、各団体に属する人名が記録されているデータベースを備えている。
【００８８】
(3-3)  ユーザが団体名を指定し、その団体と相互関係（例えば、取引、出資、融資、提携、事業譲渡など）を有する団体名が記述されたニュースを配信するシステム。例えば、ユーザが指定した学校の姉妹校の名前が記述されたニュースなどである。この場合、ニュース配信サーバ１１は、団体間の相互関係が記録されているデータベースを備えている。
【００８９】
(3-4)  ユーザが団体名を指定し、その団体と相互関係を有する団体に属する人物の名前が記述されたニュースを配信するシステム。この場合、ニュース配信サーバ１１は、団体間の相互関係が記録されているデータベースと、各団体に属する人名が記録されているデータベースを備えている。
【００９０】
(3-5)  ユーザが団体名を指定し、その団体と相互関係を有する団体に属する人物と、縁戚・交友関係にある人名が記述されたニュースを配信するシステム。この場合、ニュース配信サーバ１１は、団体間の相互関係が記録されているデータベースと、各団体に属する人名が記録されているデータベースを備えている。
【００９１】
(3-6)  ユーザが団体名を指定し、その団体が属する業界名が記述されたニュースを配信するシステム。この場合、ニュース配信サーバ１１は、団体名と対応づけて業界名が記録されているデータベースを備えている。
【００９２】
(4-1)  ユーザが資格名を指定し、その資格名が記述されたニュースを配信するシステム。
【００９３】
(4-2)  ユーザが資格名を指定し、その資格者の名前が記述されたニュースを配信するシステム。この場合、ニュース配信サーバ１１は、資格者名簿データベースを備えている。
【００９４】
(4-3)  ユーザが資格名を指定し、その資格者と縁戚・交友関係にある人名が記述されたニュースを配信するシステム。この場合、ニュース配信サーバ１１は、資格者名簿データベースを備えている。
【００９５】
(4-4)  ユーザが資格名を指定し、その資格が属する業界名が記述されたニュースを配信するシステム。この場合、ニュース配信サーバ１１は、資格名と対応づけて業界名が記録されているデータベースを備えている。
【００９６】
(5-1)  ユーザが業界名を指定し、その業界名が記述されたニュースを配信するシステム。
【００９７】
(5-2)  ユーザが業界名を指定し、その業界に属する企業（または、部署、学校、学科、資格など）の名前が記述されたニュースを配信するシステム。この場合、ニュース配信サーバ１１は、業界名と対応づけて企業名が記録されているデータベースを備えている。
【００９８】
(5-3)  ユーザが業界名を指定し、その業界に属する企業（または、部署など）の職員名が記述されたニュースを配信するシステム。この場合、ニュース配信サーバ１１は、業界名と対応づけて企業名が記録されているデータベースを備えている。
【００９９】
(5-4)  ユーザが業界名を指定し、その業界に属する学校（または、学科など）の卒業生、在校生、教員、元教員の名前が記述されたニュースを配信するシステム。この場合、ニュース配信サーバ１１は、業界名と対応づけて学校名が記録されているデータベースと、卒業者名簿データベースなどを備えている。
【０１００】
(5-5)  ユーザが業界名を指定し、その業界に属する資格の取得者の名前が記述されたニュースを配信するシステム。この場合、ニュース配信サーバ１１は、業界名に対応づけて資格名が記録されているデータベースと、資格者名簿データベースを備えている。
【０１０１】
(5-6)  ユーザが業界名を指定し、その業界に属する企業（または、部署など）の職員と縁戚・交友関係にある人名が記述されたニュースを配信するシステム。この場合、ニュース配信サーバ１１は、業界名と対応づけて企業名が記録されている業界−企業データベースを備えている。なお、この例において、「業界名」がキーワードに、「企業名」が第２の社会的存在を示す言葉に、「職員名」が第３の社会的存在を示す言葉に、「縁戚・交友関係にある人名」が第４の社会的存在を示す言葉に該当する。また、業界−企業データベースが第１の関連データベースに、会社職員録データベースが第２の関連データベースに、縁戚・交友関係データベースが第３の関連データベースに、該当する。
【０１０２】
(5-7)  ユーザが業界名を指定し、その業界に属する学校（または、学科など）の卒業生、在校生、教員、元教員と交友関係にある人名が記述されたニュースを配信するシステム。この場合、ニュース配信サーバ１１は、業界名と対応づけて学校名が記録されているデータベースと、卒業者名簿データベースなどを備えている。
【０１０３】
(5-8)  ユーザが業界名を指定し、その業界に属する資格の取得者と交友関係にある人名が記述されたニュースを配信するシステム。この場合、ニュース配信サーバ１１は、業界名と対応づけて資格名が記録されているデータベースと、資格者名簿データベースを備えている。
【０１０４】
(6-1)  ユーザが地域名を指定し、その地域名が記述されたニュースを配信するシステム。
【０１０５】
(6-2)  ユーザが地域名を指定し、その地域に属する企業（または、部署、学校、学科など）の名前が記述されたニュースを配信するシステム。この場合、ニュース配信サーバ１１は、地域名と対応づけて企業名が記録されているデータベースを備えている。
【０１０６】
(6-3)  ユーザが地域名を指定し、その地域に属する企業（または、部署、学校など）の職員名が記述されたニュースを配信するシステム。この場合、ニュース配信サーバ１１は、地域名と対応づけて企業名が記録されているデータベースを備えている。
【０１０７】
(6-4)  ユーザが地域名を指定し、その地域に属する企業（または、部署など）の職員と縁戚・交友関係にある人名が記述されたニュースを配信するシステム。この場合、ニュース配信サーバ１１は、地域名と対応づけて企業名が記録されている地域−企業データベースを備えている。なお、この例において、「地域名」がキーワードに、「企業名」が第２の社会的存在を示す言葉に、「職員名」が第３の社会的存在を示す言葉に、「縁戚・交友関係にある人名」が第４の社会的存在を示す言葉に該当する。また、地域−企業データベースが第１の関連データベースに、会社職員録データベースが第２の関連データベースに、縁戚・交友関係データベースが第３の関連データベースに、該当する。
6
6.1
また、この実施形態では、ニュース配信サーバ１１は、会員登録の際に、職員データ、縁戚・交友データの抽出処理を行っている（図７参照）。しかしながら、これに限られるものではなく、新規ニュースの文面においてユーザ関心事項の記述をチェックする際に（図１０のＳＴ３３）、職員データ、縁戚・交友データの抽出処理を行ってもよい。このようにすれば、会社職員録データベース等が頻繁に更新されるような場合でも、最新の職員データ等に基づいて、ニュースを抽出することができる。
【０１０８】
また、この実施形態では、ニュース配信サーバ１１は、会員登録の際に、職員データ、縁戚・交友データの抽出処理を行っている（図７参照）。しかしながら、これに限られるものではなく、会社職員録データベースまたは縁戚・交友関係データベースの内容が更新された際に、職員データ、縁戚・交友データの抽出処理を行ってもよい。
6.2
また、ニュース配信サーバ１１は、ユーザが設定した年齢帯、地域範囲その他の情報に基づいて、職員データ、縁戚・交友データ等の抽出処理を行うものであってもよい。以下に、その例を示す。
【０１０９】
(1)  ユーザが年齢帯を設定した場合に、抽出対象が自然人であるならば、その年齢帯に属する自然人のみ抽出するもの。
【０１１０】
(2)  ユーザが自己の年齢を設定した場合に、その年齢に、あらかじめ定めた年齢幅を増減した年齢帯に属する自然人のみ抽出するもの。
【０１１１】
(3)  ユーザが地域範囲を指定した場合に、抽出対象が団体であるならば、その地域範囲に属する団体のみ抽出するもの。
【０１１２】
このようにすれば、抽出データ（職員データ等）を限定することができ、無用なニュースを提供することを回避することができる。
6.3
また、この実施形態では、ニュース配信サーバ１１が、図１１に示すニュース到着通知をユーザ端末２１にメール送信している。しかしながら、これに限られるものではなく、以下のように、ニュースを提供するものであってもよい。
【０１１３】
(1)  ユーザが指定した掲示板ウエブページに、ニュースを書き込む。
【０１１４】
(2)  ユーザが指定したインスタントメッセージ機能プログラムに送信する。
【０１１５】
(3)  ユーザが指定したファクシミリに送信する。
【０１１６】
(4)  ユーザが指定した電話番号に音声連絡をする。
【０１１７】
(5)  ユーザが指定した携帯電話にメール送信する。
【０１１８】
(6)  ユーザが指定した場所に、印刷物として発送する。
6.4
なお、この実施形態では、ニュース提供業者のコンピュータ３１が、ニュース配信サーバ１１のニュース到着エリアに、新規ニュースを書き込んでいる。しかしながら、これに限られるものではなく、ニュース配信サーバ１１が、定期的に、当該コンピュータ３１にアクセスして、新規ニュースを取得するものであってもよい。
【０１１９】
また、この実施形態では、ニュース配信サーバ１１は、ユーザが指定する企業、その企業の職員、その職員と縁戚・交友関係にある人名をユーザの関心事項としてる。しかしながら、ユーザが、適宜、この関心事項の範囲を決定できるものであってもよい。例えば、企業名と職員名に限るようなものである。
【０１２０】
また、ニュース配信サーバ１１は、ユーザの関心事項として抽出したデータ（職員名、縁戚・交友関係にある人名）を、ユーザ端末２１に通知して、その削除、変更等を要求するものであってもよい。このようにすれば、ユーザにとって関心のないニュースを提供してしまうような事態を、できるだけ避けることができる。
【０１２１】
また、この実施形態では、ニュース配信サーバ１１は、会社職員録データベースを備え、これを用いて、職員データを抽出している。しかしながら、これに限られるものではなく、会社職員録データベースを備えたインターネット上の他のコンピュータにアクセスして、職員データを抽出するものであってもよい。なお、縁戚・交友データについても、同様である。
【０１２２】
また、この実施形態では、ニュース配信サーバ１１は、会社職員録データベースを備え、これを用いて、職員データを抽出している。しかしながら、これに限られるものではなく、ユーザ端末２１が会社職員録データベースを備えており、ユーザから会社名等の入力を受けて、職員データを抽出するものであってもよい。なお、縁戚・交友データについても、同様である。
【０１２３】
また、この実施形態では、ニュース配信サーバ１１は、会社職員録データベースを備え、これを用いて職員データを抽出し、これに基づくニュースを提供している。しかしながら、これに限られるものではなく、ユーザ端末２１が、会社職員録データベースを備えたインターネット上のコンピュータ（例えば、ニュース配信サーバ１１）にアクセスして、職員データを抽出し、これに基づくニュースを取得するものであってもよい。なお、縁戚・交友データについても、同様である。
【図面の簡単な説明】
【図１】一実施形態におけるニュース配信システムの全体構成を示す図である。
【図２】一実施形態におけるニュース配信サーバ１１のハードウエア構成を示す図である。
【図３】一実施形態におけるユーザ端末２１のハードウエア構成を示す図である。
【図４】一実施形態において、会員登録を行う際の、ニュース配信サーバ１１、ユーザ端末２１の処理を示す図である。
【図５】一実施形態における会員登録フォームを示す図である。
【図６ａ】一実施形態におけるニュース配信サーバ１１の会員情報データベースを示す図である。
【図６ｂ】一実施形態におけるニュース配信サーバ１１の会員情報データベースを示す図である。
【図７】一実施形態において、職員データ、縁戚・交友データの抽出を行う際の、ニュース配信サーバ１１の処理を示す図である。
【図８】一実施形態におけるニュース配信サーバ１１の会社職員録データベースを示す図である。
【図９】一実施形態におけるニュース配信サーバ１１の縁戚・交友関係データベースを示す図である。
【図１０】一実施形態において、ニュースを配信する際の、ニュース配信サーバ１１、ユーザ端末２１の処理を示す。
【図１１】一実施形態におけるニュース到着通知を示す図である。
【図１２】従来の電子メールを利用したニュース配信システムの全体構成を示す図である。
【図１３】従来の新規ニュースが掲載された電子メールを示す図である。
【符号の説明】
１１・・・ニュース配信サーバ
２１・・・ユーザ端末
【図１】
0004482641.tif 000002
【図２】
0004482641.tif 000003
【図３】
0004482641.tif 000004
【図４】
0004482641.tif 000005
【図５】
0004482641.tif 000006
【図６ａ】
0004482641.tif 000007
【図６ｂ】
0004482641.tif 000008
【図７】
0004482641.tif 000009
【図８】
0004482641.tif 000010
【図９】
0004482641.tif 000011
【図１０】
0004482641.tif 000012
【図１１】
0004482641.tif 000013
【図１２】
0004482641.tif 000014
【図１３】
0004482641.tif 000015